(57)【要約】本発明は、減衰圧電性平滑画像作動装置を有するライトエンジンを備えられた投射型ディスプレイに係る。ライトエンジンは、ミラー及びミラーを位置付けるアクチュエータを有する。アクチュエータは、アクチュエータをミラーに対して結合するチルト手段を有する。チルト手段は、そこに取り付けられた減衰材を有する。減衰材は、高分子材料であり得る。
2007537491.tif 000002
【特許請求の範囲】
【請求項１】
投射系に対するライトエンジンであって、
ミラーと、
前記ミラーを位置付けるアクチュエータと、
を有し、減衰材を取り付けられるチルト手段が、前記アクチュエータを前記ミラーに対して結合する、
ライトエンジン。
【請求項２】
前記チルト手段は、コイル及びバネのうちの一方である、
請求項１記載のライトエンジン。
【請求項３】
前記減衰材は、高分子材料である、
請求項１記載のライトエンジン。
【請求項４】
前記減衰材は、前記チルト手段の直径より大きい直径を有する、
請求項１記載のライトエンジン。
【請求項５】
前記減衰材は、前記チルト手段の中心に対して取り付けられる、
請求項１記載のライトエンジン。
【請求項６】
前記減衰材は、前記減衰手段の少なくとも２つの部分に対して取り付けられる、
請求項１記載のライトエンジン。
【請求項７】
前記減衰材は、前記チルト手段の２つの端部に対して取り付けられる、
請求項６記載のライトエンジン。
【請求項８】
投射系であって、
ミラーを有するライトエンジンと、
ミラーを位置付けるアクチュエータと、
を有し、減衰材を取り付けられるチルト手段が、前記アクチュエータを前記ミラーに対して結合する、
投射系。
【請求項９】
前記チルト手段は、コイル及びバネのうちの一方である、
請求項８記載の投射系。
【請求項１０】
前記減衰材は、高分子材料である、
請求項８記載の投射系。
【請求項１１】
前記減衰材は、前記チルト手段の直径より大きい直径を有する、
請求項８記載の投射系。
【請求項１２】
前記減衰材は、前記チルト手段の中心に対して取り付けられる、
請求項８記載の投射系。
【請求項１３】
前記減衰材は、前記減衰手段の少なくとも２つの部分に対して取り付けられる、
請求項８記載の投射系。
【請求項１４】
前記減衰材は、前記チルト手段の２つの端部に対して取り付けられる、
請求項１３記載の投射系。
【発明の詳細な説明】
【技術分野】
【０００１】
本発明は、全般的に投射型ディスプレイに係り、特には投射型ディスプレイに対する平滑ミラーに係る。
【背景技術】
【０００２】
新しい投射型テレビジョン受像機の中には、ライトエンジンを有するものがある。かかるライトエンジンは、２つの場所の間の平滑ミラーに到達するよう圧電性アクチュエータ及びロッキング機構を使用する。平滑画像アクチュエータの一例は、バネ質量型の系である。圧電性アクチュエータは、２つのサブ映像へと分解される画像映像を多重化するよう設計される。サブ映像Ａがスクリーン上に投射される際、２５ｍｍ×２５ｍｍの小さな鏡は、位置「Ａ」に保持される。数マイクロ秒後、サブ映像Ｂが投射される際、圧電性モータが作動され、ミラーが取り付けられるロッカーアームを位置「Ｂ」へと動かす。次のサブ映像「Ａ」が投射される際、圧電性装置から電流が除去され、例えば伸縮バネがミラー及びロッカーアームを位置「Ａ」へと戻す。
【０００３】
スピーカからの可聴のノイズ、又は床を歩く人によって伝えられ得る衝撃波の存在下で、これらの力がライトエンジンへ及び圧電性アクチュエータ装置へと伝達され得る。テレビジョン受像機のキャビネットのプラスチックのシステム及びライトエンジンを介して伝達される際に、これらの力の振幅が増幅される、ことは稀ではない。これらの力が圧電性アクチュエータ装置に対して伝達される際、該力は、バネの力を圧倒し且つミラーが意図される振動数外に振動し得るロッカーアームにおける動作を望ましくなくもたらすほど十分大きくなり得る。
【発明の開示】
【発明が解決しようとする課題】
【０００４】
本発明の実施例によれば、本発明は、投射型ディスプレイが減衰圧電平滑画像作動装置を有するライトエンジンを備えられる、ことを目的とする。
【課題を解決するための手段】
【０００５】
ライトエンジンは、ミラー、及びミラーを位置付けるアクチュエータを有する。アクチュエータは、アクチュエータをミラーに対して結合するチルト手段を有する。チルト手段は、そこに取り付けられた減衰材を有する。減衰材は、高分子材料であり得る。
【発明を実施するための最良の形態】
【０００６】
本発明の望ましい実施例は、添付の図面を参照して説明される。
【０００７】
本発明の一実施例によれば、投射型ディスプレイは、減衰圧電性平滑画像作動装置（ｄａｍｐｅｄ  ｐｉｅｚｏ−ｅｌｅｃｔｒｉｃ  ｓｍｏｏｔｈ  ｐｉｃｔｕｒｅ  ａｃｔｕａｔｉｎｇ  ｄｅｖｉｃｅ）を有するライトエンジンを備えられる。図１Ａ乃至図５中に示される通り、投射型ディスプレイは、成型プラスチックから形成されるキャビネット１０を有し、また、電子範囲３０、ミラー２２、及びライトボックス２０を有する。ライトエンジン４０は、出力端部４０ａ及び電子端部（ｅｌｅｃｔｒｏｎｉｃ  ｅｎｄ）４０ｂを有し、出力端部４０ａからはライトパターンが投射され、電子端部４０ｂはランプ及び多種の電子部品を有する。ライトエンジン４０は、キャビネット１０のライトボックス２０における出力端部４０ａを有して、また、電子範囲３０における電子端部４０ｂを有して取り付けられる。図１Ａ中に示される通り、スクリーン１２は、ライトボックス２０の上方に取り付けられる。
【０００８】
取外し可能な前方カバー１４（図２中に図示）は、キャビネット１０上に取り付けられる際、ライトエンジン２０及び電子範囲３０を覆う。
【０００９】
本発明の一実施例によれば、ライトエンジンは、ミラー及びアクチュエータを有する。アクチュエータは、フレーム１００（図６）を有し、フレーム１００中には、ミラー（図示せず）を位置付けるチルト手段１０５が位置決めされる。アクチュエータは、アクチュエータをミラーに対して結合するチルト手段を有する。チルト手段１０５は、取り付けられた減衰材１１０（図７Ａ乃至図７Ｃ）を有する。減衰材は、高分子材料であり得る。
【００１０】
図７Ａ中に示される一実施例では、衝撃減衰材１１０である丸い部品が、コイルの円形の開口又は圧電性アクチュエータの圧縮型バネ１２０（チルト手段）へと挿入される。衝撃減衰剤１１０は、例えば、明確な接触が衝撃減衰材１１０の周囲で確実になされるようバネ１２０の内径より外径においてわずかに大きくあり得る。バネ１２０に対する衝撃減衰材１１０の追加は、コイル又は圧縮バネの固有である固有振動共振を排除する。
【００１１】
図７Ｂ中に示される他の実施例では、衝撃減衰材１３０は、圧縮バネ１３５の中心部に対してオーバーモールドされる。この実施例では、バネは、射出成形において設置され得、減衰材がバネの中心へとモールドされるようにし、また、コイルの外側を包囲する。この工程は、例えば約３ｍｍである範囲におけるバネの中心の一部分にわたって適用され得る。
【００１２】
図７Ｃ中に示される他の実施例は、バネ１４３の２つの端部１４５，１４６上に取り付けられる衝撃減衰材１４０を有し得る。この配置は、バネの中心が自由に動くことができ、アクチュエータの嵌め合い部分との接合部分において直接コイルバネを減衰する。
【００１３】
図７Ａ乃至図７Ｃにおいて示される通り、衝撃減衰材有り及び衝撃減衰材無しのバネ上で試験が行われた。減衰材の取付け前には、可聴のサインスイープ（ｓｉｎｅ  ｓｗｅｅｐ）が投射型テレビジョン受像機の前方スピーカに対して適用される際、小さな鏡は、１００Ｈｚ，１４０Ｈｚ，２００Ｈｚ及び４００Ｈｚにおいて望ましくない振動振幅を示した。衝撃減衰材がバネ等のチルト手段に対して追加された後、望ましくない振幅の存在は消滅した。
【００１４】
前述された内容は、本発明を実施する複数の可能性を示す。多くの他の実施例が、本発明の範囲及び趣旨内で可能である。したがって、前述された説明が制限的ではなく説明するものであること、並びに、本発明の範囲が添付の請求項及びあらゆる種類の同等のものによって与えられることは、意図される。
【図面の簡単な説明】
【００１５】
【図１Ａ】本発明の一実施例に従った投射型ディスプレイの斜視正面図であり、投射型ディスプレイのライトエンジンを示すよう前方パネルを取り除いて図示する。
【図１Ｂ】本発明の一実施例に従った投射型ディスプレイの斜視正面図であり、ライトボックスを示すようスクリーンを取り除いて図示する。
【図２】図１Ａ及び図１Ｂ中の投射型ディスプレイの詳細斜視正面図であり、前方パネルを定位置に有して図示する。
【図３】図１Ａ、図１Ｂ、及び図２中の投射型ディスプレイの詳細斜視正面図であり、前方パネルを取り除いて図示する。
【図４】図１Ａ、図１Ｂ、図２、及び図３中の投射型ディスプレイの分解正面図である。
【図５】本発明の一実施例に従った投射型ディスプレイのライトエンジンの詳細正面図である。
【図６】図１Ａ、図１Ｂ、図２、図３、図４、及び図５中のライトエンジンにおいて使用される本発明の減衰アクチュエータ装置の詳細図である。
【図７Ａ】本発明の減衰チルト手段の正面図である。
【図７Ｂ】本発明の減衰チルト手段の正面図である。
【図７Ｃ】本発明の減衰チルト手段の正面図である。
【図１Ａ】
2007537491.tif 000003
【図１Ｂ】
2007537491.tif 000004
【図２】
2007537491.tif 000005
【図３】
2007537491.tif 000006
【図４】
2007537491.tif 000007
【図５】
2007537491.tif 000008
【図６】
2007537491.tif 000009
【図７Ａ】
2007537491.tif 000010
【図７Ｂ】
2007537491.tif 000011
【図７Ｃ】
2007537491.tif 000012
【国際調査報告】
2007537491.tif 000013
2007537491.tif 000014
2007537491.tif 000015